(57)【要約】      （修正有）【課題】手間を掛けずに効率的に穿刺針を消毒する。【解決手段】穿刺針、穿刺針を収納位置からランシング位置に移動させる駆動バネ、駆動バネを縮んだ状態から解き放つトリガ、穿刺針と駆動バネを収納する空間と穿刺針の先端を外部に案内する穿刺孔を有する筐体本体、および穿刺針を消毒する消毒手段を具備するランセットデバイス。【選択図】図１Ａ
2005028109.tif 000002
【特許請求の範囲】
【請求項１】
穿刺針を消毒する消毒手段を備えたランセットデバイス。
【請求項２】
ランシングの前または後で、前記穿刺針が前記消毒手段により消毒される請求項１記載のランセットデバイス。
【請求項３】
前記消毒手段が、穿刺針を加熱する加熱部、穿刺針にＵＶ線もしくは赤外線を照射する線源部、または穿刺針に消毒液を付着する化学薬品部である請求項１記載のランセットデバイス。
【請求項４】
前記化学薬品部が、前記消毒液を含浸させた多孔体を具備し、前記穿刺針が前記多孔体に挿入されるように前記多孔体が配置される請求項３記載のランセットデバイス。
【請求項５】
ランシングの前または後で、前記穿刺針が前記多孔体に挿入される請求項４記載のランセットデバイス。
【請求項６】
前記化学薬品部が、前記多孔体に含まれる消毒液量の減少を表示するインジケータランプと、消毒液を前記多孔体に補充するための消毒液導入口を具備する請求項４記載のランセットデバイス。
【請求項７】
前記消毒手段が、ランシング中には作動しない請求項１記載のランセットデバイス。
【請求項８】
ランセットデバイスが収納された状態で、ランセットデバイスの穿刺針を消毒する消毒手段を備えたランセットデバイスの収納容器。
【請求項９】
前記消毒手段が、穿刺針を加熱する加熱部、穿刺針にＵＶ線もしくは赤外線を照射する線源部、または穿刺針に消毒液を付着する化学薬品部である請求項８記載のランセットデバイスの収納容器。
【請求項１０】
前記化学薬品部が、前記消毒液を含浸させた多孔体を具備し、ランセットデバイスが収納された状態で、穿刺針が前記多孔体に挿入されるように前記多孔体が配置されている請求項９記載のランセットデバイスの収納容器。
【請求項１１】
前記化学薬品部が、前記多孔体に含まれる消毒液量の減少を表示するインジケータランプと、消毒液を前記多孔体に補充するための消毒液導入口を具備する請求項１０記載のランセットデバイスの収納容器。
【請求項１２】
前記消毒手段が、ランセットデバイスの収納前には作動しない請求項８記載のランセットデバイスの収納容器。
【請求項１３】
穿刺針、前記穿刺針を収納位置からランシング位置に移動させる駆動バネ、前記駆動バネを縮んだ状態から解き放つトリガ、前記穿刺針と前記駆動バネを収納する空間と前記穿刺針の先端を外部に案内する穿刺孔を有する筐体本体、および前記穿刺針を消毒する消毒手段を具備するランセットデバイス。
【請求項１４】
前記消毒手段が、前記筐体本体と一体化されている請求項１３記載のランセットデバイス。
【請求項１５】
前記消毒手段が、前記筐体本体の前記穿刺孔を覆う取り外し可能な蓋体に固定されている請求項１３記載のランセットデバイス。
【請求項１６】
前記消毒手段が、発熱部および前記発熱部の作動スイッチを含む回路を具備し、前記駆動バネが解き放たれた状態で、前記発熱部の作動スイッチが閉じられる請求項１３記載のランセットデバイス。
【請求項１７】
前記消毒手段が、ＵＶ線もしくは赤外線を放射する線源部および前記線源部の作動スイッチを含む回路を具備し、前記駆動バネが解き放たれた状態で、前記線源部の作動スイッチが閉じられる請求項１３記載のランセットデバイス。
【請求項１８】
前記消毒手段が、多孔体および前記多孔体に含浸された消毒液を具備し、前記駆動バネが解き放たれた状態で、前記多孔体に前記穿刺針の先端が挿入される請求項１３記載のランセットデバイス。
【請求項１９】
前記消毒手段が、発熱部および前記発熱部の作動スイッチを含む回路を具備し、ランセットデバイスが収納された状態で、前記発熱部の作動スイッチが閉じられる請求項８記載のランセットデバイスの収納容器。
【請求項２０】
前記消毒手段が、ＵＶ線もしくは赤外線を放射する線源部および前記線源部の作動スイッチを含む回路を具備し、ランセットデバイスが収納された状態で、前記線源部の作動スイッチが閉じられる請求項８記載のランセットデバイスの収納容器。
【発明の詳細な説明】
【技術分野】
【０００１】
本発明は、体液を生体内から取り出すための穿刺針を消毒する消毒手段を有するランセットデバイスおよびその収納容器に関する。
【背景技術】
【０００２】
体液中の測定対象物をセンシングする際、穿刺針を用いて生体内から体液が取り出される。一度使用した穿刺針を再利用する場合、次に使用する前に、その穿刺針を消毒する必要がある。従来、穿刺針の消毒は、例えばエタノール等の薬品を含む消毒液に穿刺針を浸すことにより行われている。また、消毒液を染しみ込ませた綿で穿刺針を拭うことも行われている。また、穿刺針にＵＶ線を照射したり、穿刺針を加熱もしくは煮沸して消毒することも行われている。しかし、このような方法で穿刺針の消毒を行うのは、手間が掛かり、面倒である。
【０００３】
さらに、穿刺針を確実に消毒するためには、γ線やエチレンオキサイドガスなどで消毒する必要がある。しかし、このような方法を行うためには、それなりの設備が必要であり、手間も掛かり、非効率的である。
【０００４】
そこで、予めγ線やエチレンオキサイドガスなどで消毒され、かつキャップで覆われた穿刺針を用いことが提案されている。この場合、一度使用した穿刺針は廃棄される（特許文献１参照）。
【特許文献１】米国特許第５３８５５７１号明細書
【発明の開示】
【発明が解決しようとする課題】
【０００５】
本発明は、例えばランシングの前または後において、手間を掛けずに効率的に穿刺針を消毒する機構を備えたランセットデバイスを提供することを目的とする。本発明は、また、ランセットデバイスが収納された状態で、手間を掛けずに効率的に穿刺針を消毒する機構を備えたランセットデバイスの収納容器を提供することを目的とする。
【課題を解決するための手段】
【０００６】
本発明は、穿刺針を消毒する消毒手段を備えたランセットデバイスに関する。本発明は、また、ランセットデバイスが収納された状態で、ランセットデバイスの穿刺針を消毒する消毒手段を備えたランセットデバイスの収納容器に関する。
消毒手段には、例えば、穿刺針を加熱する加熱部、穿刺針にＵＶ線もしくは赤外線を照射する線源部、穿刺針に消毒液を付着する化学薬品部等を用いることができる。
【０００７】
加熱部には、加熱コイルなどの発熱部、赤外線レーザ、ＬＥＤ（light-emitting diode）等を用いることができる。また、線源部には、ＵＶランプ、赤外ランプ、ＵＶもしくは赤外領域波長の光を出すレーザ、ＬＥＤ等を用いることができる。加熱部や線源部の消費電力は１ｍＷ以上であることが望ましい。
【０００８】
化学薬品部は、消毒液または消毒液を含浸させた多孔体を具備する。消毒液に含ませる化学薬品には、例えばグルタラール、次亜塩素酸ナトリウム、ポビドンヨード、ヨウ素を含む水溶液、エタノール、イソプロパノール、クロルヘキシジン、ベンザルコニウム、フェノール、クレゾール、グルコン酸、塩化ベンザルコニウム、塩酸アルキルジアミノエチルグリシン、過酸化水素水溶液、ホルムアルデヒド等を用いることができる。これらは単独で用いてもよく、複数を組み合わせて用いてもよい。
【０００９】
消毒液を含浸させた多孔体に、穿刺針を挿入することにより、穿刺針を消毒することができる。多孔体としては、織布、不職布、スポンジなどのように、溶液を容易に保持でき、柔軟性を有する材料を使用することができる。
【００１０】
化学薬品部は、前記多孔体に含まれる消毒液量の減少を表示するインジケータランプと、消毒液を前記多孔体に補充するための導入口を有することが好ましい。
【００１１】
ランセットデバイスが消毒手段を備える場合、線源部は、例えばランシングの前または後において、穿刺針に自動的に一定時間、例えば１０秒間以上、ＵＶ線もしくは赤外線を照射する機構を有することが好ましい。また、加熱部は、例えばランシングの前または後において、穿刺針を自動的に一定時間、例えば１０秒間以上、加熱する機構を有することが好ましい。加熱部および線源部は、ランシング動作を行う準備が完了した状態においては、作動を停止することが好ましい。
【００１２】
ランセットデバイスの収納容器が消毒手段を備える場合、線源部は、ランセットデバイスが収納された状態で、穿刺針に自動的に一定時間、例えば１０秒間以上、ＵＶ線もしくは赤外線を照射する機構を有することが好ましい。また、加熱部は、ランセットデバイスが収納された状態で、穿刺針を自動的に一定時間、例えば１０秒間以上、加熱する機構を有することが好ましい。加熱部および線源部は、ランセットデバイスを収納しない期間は、作動を停止することが好ましい。
【００１３】
例えば、本発明は、穿刺針、前記穿刺針を収納位置からランシング位置に移動させる駆動バネ、前記駆動バネを縮んだ状態から解き放つトリガ、前記穿刺針と前記駆動バネを収納する空間と前記穿刺針の先端を外部に案内する穿刺孔を有する筐体本体、および前記穿刺針を消毒する消毒手段を具備するランセットデバイスに関する。
【００１４】
前記消毒手段は、前記筐体本体と一体化されていてもよく、また、前記筐体本体の前記穿刺孔を覆う取り外し可能な蓋体に固定されていてもよい。
【００１５】
前記消毒手段は、発熱部および前記発熱部の作動スイッチを含む回路を具備し、前記駆動バネが解き放たれた状態で、前記発熱部の作動スイッチが閉じられる構造であることが好ましい。
【００１６】
前記消毒手段は、また、ＵＶ線もしくは赤外線を放射する線源部および前記線源部の作動スイッチを含む回路を具備し、前記駆動バネが解き放たれた状態で、前記線源部の作動スイッチが閉じられる構造であることが好ましい。
【００１７】
前記消毒手段は、また、多孔体および前記多孔体に含浸された消毒液を具備し、例えば前記駆動バネが解き放たれた状態で、前記多孔体に前記穿刺針の先端が挿入される構造であることが好ましい。
多孔体は、穿刺孔に侵入できる構造であることが好ましい。この場合、駆動バネが解き放たれた状態で、穿刺針の先端が穿刺孔から外部に突出してもよく、突出しなくてもよい。
【００１８】
本発明は、さらに、ランセットデバイスを収納する空間を有し、ランセットデバイスが収納された状態で、ランセットデバイスの穿刺針を消毒する消毒手段を備えたランセットデバイスの収納容器に関する。
【００１９】
前記消毒手段は、発熱部および前記発熱部の作動スイッチを含む回路を具備し、ランセットデバイスが収納された状態で、前記発熱部の作動スイッチが閉じられる構造であることが好ましい。
【００２０】
前記消毒手段は、また、ＵＶ線もしくは赤外線を放射する線源部および前記線源部の作動スイッチを含む回路を具備し、ランセットデバイスが収納された状態で、前記線源部の作動スイッチが閉じられる構造であることが好ましい。
【００２１】
前記消毒手段は、また、多孔体および前記多孔体に含浸された消毒液を具備し、ランセットデバイスが収納された状態で、前記多孔体に前記穿刺針の先端が挿入される構造であることが好ましい。
【発明の効果】
【００２２】
本発明のランセットデバイスによれば、例えばランシングの前または後において、手間を掛けずに効率的に穿刺針を消毒することができる。また、本発明のランセットデバイスの収納容器によれば、ランセットデバイスが収納された状態で、手間を掛けずに効率的にランセットデバイスの穿刺針を消毒することができる。
【発明を実施するための最良の形態】
【００２３】
実施形態１
本実施形態のランセットデバイスの内部構造を、筐体本体を断面にして、図１Ａ、Ｂに示す。図１Ａでは、駆動バネ２が縮んだ状態で固定されている。図１Ｂでは、駆動バネ２が解き放たれている。
【００２４】
このランセットデバイスは、穿刺針５、穿刺針５を固定するためのホルダ３、穿刺針５を収納位置からランシング位置に移動させる駆動バネ２、駆動バネ２を縮んだ状態から解き放つトリガボタン４を具備する。穿刺針５と駆動バネ２は、筒状の筐体本体８に収納されている。筐体本体８の一端には、穿刺針５の先端を外部に案内する穿刺孔９が設けられている。他端には、バネ圧縮用ボタン１が設けられている。解き放たれた状態の駆動バネ２は、ランシング動作を行う前に、バネ圧縮用ボタン１を引くことによって、縮んだ状態になる。駆動バネ２の縮んだ状態は、ランシング動作を行う準備が完了した状態である。この状態でトリガボタン４を押すことにより、駆動バネ２が解き放たれ、ランシングを行うことができる。
【００２５】
ランシング後の駆動バネ２が解き放たれた状態において、穿刺針５は、消毒手段により消毒される。本実施形態のランセットデバイスが具備する消毒手段は、抵抗コイルからなる発熱部１６を有する。抵抗コイルの一端１６ａは、駆動バネ２が解き放たれた状態で、電池７の外部端子７ａと接触する。一方、抵抗コイルの他端１６ｂは、常に、電池７の外部端子７ｂと接続された状態となっている。すなわち、発熱部１６および電池７は、回路を構成している。抵抗コイルの一端１６ａおよび電池７の外部端子７ａは、発熱部１６の作動スイッチを構成している。作動スイッチは、駆動バネ２が解き放たれた状態で閉じられ、駆動バネ２が縮んだ状態で開くようになっている。
【００２６】
本実施形態のランセットデバイスによれば、ランシング後に、駆動バネ２が解き放たれた状態で暫くの間放置することにより、穿刺針５が発熱部１６によって加熱消毒される。従って、ランシング後に穿刺針５を取り外して薬液に浸したり、薬液を染しみ込ませた綿で穿刺針５を拭ったりする必要はない。また、手間を掛けずに効率的に穿刺針５を消毒することができる。なお、穿刺針５と発熱部１６との位置関係は、図１に示された状態に限られない。穿刺針５の温度が昇温される程度に穿刺針５と発熱部１６とを近くに配置すればよい。
【００２７】
実施形態２
本実施形態のランセットデバイスの内部構造を、筐体本体を断面にして、図２Ａ、Ｂに示す。図２Ａでは、駆動バネ２が縮んだ状態で固定されている。図２Ｂでは、駆動バネ２が解き放たれている。
【００２８】
このランセットデバイスは、消毒手段の構成が異なること以外、実施形態１のランセットデバイスと同様の構造を有する。ここでは、消毒手段は、筐体本体８の穿刺孔９を覆う取り外し可能な蓋体１０に内蔵されている。
【００２９】
蓋体１０は、蓋匡１１からなり、穿刺孔９を有する筐体本体８の端部と勘合する開口部１２を有する。開口部１２の奥には、抵抗コイルからなる発熱部１６と電池７が収容されている。発熱部１６および電池７は、回路を構成しており、電池７の外部端子７ａおよび抵抗コイルの一端１６ａは、発熱部１６の作動スイッチを構成している。
図２Ａでは、筐体本体８の端部が蓋匡１１の開口部１２に勘合していない。この状態では、抵抗コイルの一端１６ａは、電池７の外部端子７ａから離れている。図２Ｂでは、筐体本体８の端部が蓋匡１１の開口部１２に勘合している。この状態では、筐体本体８の端部によって電池７の外部端子７ａが押し倒され、抵抗コイルの一端１６ａと接触する。
【００３０】
ランシング後に、駆動バネ２が解き放たれた状態で、蓋体１０が筐体本体８の端部に装着される。そのまま暫くの間放置することにより、穿刺針５が発熱部１６によって加熱消毒される。なお、穿刺針５と発熱部１６との位置関係は、図１に示された状態に限られない。穿刺針５の温度が昇温される程度に穿刺針５と発熱部１６とを近くに配置すればよい。また、消毒中の穿刺針５の先端は、穿刺孔９を通って筐体本体８から突出していてもよい。
【００３１】
ここで、以下の実験を行った。
上記ランセットデバイスを作製し、ランシングにより採血を行った。その後、蓋体１０を筐体本体８の端部に装着して、１Ｗで１０秒間、穿刺針５を加熱消毒した。消毒後の穿刺針５の先端を、生菌数測定用培地（（株）ニッショー製）に接触させて、その培地を３７℃で２４時間静置した。その後、培地の生菌数を測定した。その結果、バクテリアを検出することはできなかった。このことから、本実施形態における加熱消毒が有効であることが確認された。
【００３２】
次に、上記と同様の消毒機構を有するランセットデバイスの収納容器の内部構造を、容器本体１８を断面にして、図３Ａ、Ｂに示す。
収納容器は、ランセットデバイスを収容する空間と、ランセットデバイスの収納時において、穿刺針を消毒する消毒手段を有する。図３Ａは、図２Ａと同様の加熱手段を有する収納容器に、ランセットデバイスを収納した状態を示す。この状態では、ランセットデバイスの筐体本体８の端部によって、電池７の外部端子７ａが押し倒され、抵抗コイルの一端１６ａと接触している。ランセットデバイスを収納する前の状態では、図３Ｂのように、抵抗コイルの一端１６ａは、電池７の外部端子７ａから離れている。
【００３３】
上記構成によれば、ランセットデバイスを収納容器に収納すると、自動的に消毒手段の駆動スイッチが閉じられて、穿刺針５の消毒が行われる。発熱部１６は、ランセットデバイスの筐体本体８の穿刺孔９近辺に配置することが好ましい。
【００３４】
収納容器には、未使用の予備穿刺針１３を収納するための空間を設けることができる。前記空間には、予備穿刺針１３の先端を挿入するキャップ１７を配置することが好ましい。
【００３５】
実施形態３
本実施形態のランセットデバイスの内部構造を、筐体を断面にして、図４Ａ、Ｂに示す。図４Ａでは、駆動バネ２が縮んだ状態で固定されている。図４Ｂでは、駆動バネ２が解き放たれている。
【００３６】
このランセットデバイスは、消毒手段としてＵＶランプからなる線源部２６を用いること以外、実施形態２のランセットデバイスと同様の構造を有する。すなわち、筐体本体８の端部が蓋匡１１の開口部１２に勘合していない状態では、線源部２６の外部端子２６ａは、電池７の外部端子７ａから離れている。筐体本体８の端部が蓋匡１１の開口部１２に勘合すると、筐体本体８の端部によって電池７の外部端子７ａが押し倒され、線源部２６の外部端子２６ａと接触する。
【００３７】
ランシング後に、駆動バネ２が解き放たれた状態で、蓋体１０が筐体本体８の端部に装着される。そのまま暫くの間放置することにより、穿刺針５が線源部２６が発するＵＶ線によって消毒される。なお、穿刺針５と線源部２６との位置関係は、図４に示された状態に限られない。穿刺針５の先端にＵＶ線を照射できるように線源部２６を配置すればよい。
【００３８】
ここで、以下の実験を行った。
上記ランセットデバイスを作製し、ランシングにより採血を行った。その後、蓋体１０を筐体本体８の端部に装着して、１Ｗで３０秒間、穿刺針５をＵＶ線により消毒した。消毒後の穿刺針５の先端を、生菌数測定用培地（（株）ニッショー製）に接触させて、その培地を３７℃で２４時間静置した。その後、培地の生菌数を測定した。その結果、バクテリアを検出することはできなかった。このことから、本実施形態におけるＵＶ線による消毒が有効であることが確認された。
【００３９】
次に、上記と同様の消毒機構を有するランセットデバイスの収納容器の内部構造を、容器本体１８を断面にして、図５Ａ、Ｂに示す。この収納容器は、消毒手段の構成が異なること以外、実施形態２の収納容器と同様の構造を有する。
図５Ａは、図４と同様のＵＶランプからなる消毒手段を有する収納容器に、ランセットデバイスを収納した状態を示す。この状態では、ランセットデバイスの筐体本体８の端部によって、電池７の外部端子７ａが、押し倒され、線源部２６の外部端子２６ａと接触している。ランセットデバイスを収納する前の状態では、図５Ｂのように、線源部２６の外部端子２６ａは、電池７の外部端子７ａから離れている。
【００４０】
上記構成によっても、ランセットデバイスを収納容器に収納すると、自動的に消毒手段の駆動スイッチが閉じられる。
【００４１】
実施形態４
本実施形態のランセットデバイスの内部構造を、筐体を断面にして、図６Ａ、Ｂに示す。図６Ａでは、駆動バネ２が縮んだ状態で固定されている。図６Ｂでは、駆動バネ２が解き放たれている。
【００４２】
このランセットデバイスは、消毒手段の構成が異なること以外、実施形態１のランセットデバイスと同様の構造を有する。ここでは、消毒手段は、筐体本体８の穿刺孔９を覆う取り外し可能な蓋体１０に内蔵されている。
【００４３】
蓋体１０は、蓋匡１１、蓋匡１１の内部に収容された多孔体３６および多孔体３６に消毒液を供給する消毒液溜３７を具備する。多孔体３６は、常時、消毒液を含浸した状態となっている。蓋体１０は、穿刺孔９を有する筐体本体８の端部と勘合する開口部１２を有する。多孔体３６は、筐体本体８の端部が蓋匡１１の開口部１２に勘合した状態において穿刺孔９と対面する位置に配置されている。      
【００４４】
ランシング後に、駆動バネ２が解き放たれた状態で、蓋体１０が筐体本体８の端部に装着される。その状態で、穿刺針５の先端は、多孔体３６に挿入されて、消毒液で消毒される。
【００４５】
多孔体３６には、消毒液で膨潤し得る多孔質材料であれば、何を用いてもよい。例えばスポンジ、織布、不織布等が好ましく用いられる。また、多孔体３６と消毒液溜３７との連絡には、例えば毛細管現象により消毒液の移送を行う多孔質材料を用いることができる。
【００４６】
消毒液の消費に伴い、消毒液溜３７に貯蔵されている消毒液量は減少する。そこで、消毒液量の減少を表示するインジケータランプ１９および消毒液を消毒液溜３７に補充するための吸入口２０を蓋体１０に設けることが好ましい。
【００４７】
ここで、以下の実験を行った。
消毒液として、エタノール含有量が７０重量％の水溶液を調製した。そして、蓋体１０の消毒液溜３７に、その水溶液を注液した。上記ランセットデバイスを作製し、ランシングにより採血を行った。その後、蓋体１０を筐体本体８の端部に装着して、消毒液で穿刺針５を消毒した。その後、穿刺針５の先端を、生菌数測定用培地（（株）ニッショー社製）に接触させて、その培地を３７℃で２４時間静置した。その後、培地の生菌数を測定した。その結果、バクテリアを検出することはできなかった。このことから、本実施形態における消毒が有効であることが確認された。
【００４８】
次に、上記と同様の消毒機構を有するランセットデバイスの収納容器の内部構造を、容器本体１８を断面にして、図７に示す。この収納容器は、消毒手段の構成が異なること以外、実施形態２の収納容器と同様の構造を有する。
図７は、図６と同様の多孔体３６および消毒液溜３７からなる消毒手段を有する収納容器に、ランセットデバイスを収納した状態を示す。この状態で、穿刺針５の先端は、多孔体３６に挿入されて、消毒液で消毒される。上記構成によっても、ランセットデバイスを収納容器に収納すると、自動的に穿刺針５の消毒を行うことができる。
【００４９】
実施形態５
本実施形態のランセットデバイスの内部構造を、筐体を断面にして、図８Ａ、Ｂに示す。図８Ａでは、駆動バネ２が縮んだ状態で固定されている。図８Ｂでは、駆動バネ２が解き放たれている。このランセットデバイスは、消毒手段の構成が異なること以外、実施形態１のランセットデバイスと同様の構造を有する。
【００５０】
本実施形態のランセットデバイスが具備する消毒手段は、ＵＶ線を放射するレーザあるいはＬＥＤからなる線源部４６を有する。線源部４６は、スイッチ２７のＯＮ／ＯＦＦにより、電池７と通電する。上記構成の場合、いつでもスイッチ２７をＯＮすることにより、穿刺針５の消毒を行うことができる。ただし、駆動バネ２が解き放たれた状態では、穿刺針５と線源部４６との距離が近くなる。従って、駆動バネ２が解き放たれた状態でスイッチ２７をＯＮする方が、効率的に穿刺針の消毒を行うことができる。
【産業上の利用可能性】
【００５１】
本発明によれば、例えばランシングの前または後において、手間を掛けずに効率的に穿刺針を消毒することが可能である。本発明のランセットデバイスおよびその収納容器は、特に、一度使用した穿刺針を再利用する場合や、連続してランシングを行う場合の利便性に優れている。
【図面の簡単な説明】
【００５２】
【図１Ａ】実施形態１に係るランセットデバイスの駆動バネが固定された状態の内部構造を示す図である。
【図１Ｂ】実施形態１に係るランセットデバイスの駆動バネが解き放たれた状態の内部構造を示す図である。
【図２Ａ】実施形態２に係るランセットデバイスの内部構造を示す図であって、駆動バネが固定され、筐体本体の端部が蓋匡の開口部に勘合する前の図である。
【図２Ｂ】実施形態２に係るランセットデバイスの内部構造を示す図であって、駆動バネが解き放たれ、筐体本体の端部が蓋匡の開口部に勘合した図である。
【図３Ａ】実施形態２に係る収納容器のランセットデバイスが収納された状態の内部構造を示す図である。
【図３Ｂ】実施形態２に係る収納容器のランセットデバイスが収納される前の要部を示す図である。
【図４Ａ】実施形態３に係るランセットデバイスの内部構造を示す図であって、駆動バネが固定され、筐体本体の端部が蓋匡の開口部に勘合する前の図である。
【図４Ｂ】実施形態３に係るランセットデバイスの内部構造を示す図であって、駆動バネが解き放たれ、筐体本体の端部が蓋匡の開口部に勘合した図である。
【図５Ａ】実施形態３に係る収納容器のランセットデバイスが収納された状態の内部構造を示す図である。
【図５Ｂ】実施形態３に係る収納容器のランセットデバイスが収納される前の要部を示す図である。
【図６Ａ】実施形態４に係るランセットデバイスの内部構造を示す図であって、駆動バネが固定され、筐体本体の端部が蓋匡の開口部に勘合する前の図である。
【図６Ｂ】実施形態４に係るランセットデバイスの内部構造を示す図であって、駆動バネが解き放たれ、筐体本体の端部が蓋匡の開口部に勘合した図である。
【図７】実施形態４に係る収納容器のランセットデバイスが収納された状態の内部構造を示す図である。
【図８Ａ】実施形態５に係るランセットデバイスの駆動バネが固定された状態の内部構造を示す図である。
【図８Ｂ】実施形態５に係るランセットデバイスの駆動バネが解き放たれた状態の内部構造を示す図である。
【符号の説明】
【００５３】
１      バネ圧縮用ボタン
２      駆動バネ
３      ホルダ
４      トリガボタン
５      穿刺針
７      電池
７ａ、７ｂ  電池の外部端子
８      筐体本体
９      穿刺孔
１０    蓋体
１１    蓋匡
１２    開口部
１３    予備穿刺針
１６    発熱部
１６ａ  抵抗コイルの一端
１６ｂ  抵抗コイルの他端
１７    キャップ
１８    容器本体
１９    インジケータランプ
２０    吸入口
２６    線源部
２６ａ  線源部の外部端子
２７    スイッチ
３６    多孔体
３７    消毒液溜
４６    線源部
【図１Ａ】
2005028109.tif 000003
【図１Ｂ】
2005028109.tif 000004
【図２Ａ】
2005028109.tif 000005
【図２Ｂ】
2005028109.tif 000006
【図３Ａ】
2005028109.tif 000007
【図３Ｂ】
2005028109.tif 000008
【図４Ａ】
2005028109.tif 000009
【図４Ｂ】
2005028109.tif 000010
【図５Ａ】
2005028109.tif 000011
【図５Ｂ】
2005028109.tif 000012
【図６Ａ】
2005028109.tif 000013
【図６Ｂ】
2005028109.tif 000014
【図７】
2005028109.tif 000015
【図８Ａ】
2005028109.tif 000016
【図８Ｂ】
2005028109.tif 000017